(57)【要約】【課題】発熱量の大小異なる誘導加熱コイルへの通電制御に係る制御部を収容する電装ボックスを備えた誘導加熱調理器において、各誘導加熱コイルの制御部の冷却、各誘導加熱コイル及びその周辺部材の冷却が、単一ファンにて有効に行えると共に、該当する制御部の修理・点検等のサービス製の向上を図る電装ボックス構成を提供する。【解決手段】発熱量の大小異なる誘導加熱コイルへの通電制御に係る各制御部が、別個の収容部に収容される積層形態の電装ボックスとし、単一ファンを電装ボックスに一体化し、このファンからの空気流が、積層の各収容部を経由する空気通路の発熱量に応じて分流される構成。【選択図】図５
2010182480.tif 000002
【特許請求の範囲】
【請求項１】
本体部の上面に天板を備え、前記本体部の内部に発熱量の大小異なる誘導加熱コイルと
、前記各誘導加熱コイルへの通電制御に係る制御部を収容する電装ボックスを備えた誘導
加熱調理器において、前記電装ボックスは、前記発熱量大の誘導加熱コイルへの通電制御
に係る制御部を収容する収容部と、前記収容部内を流れた空気を前記発熱量大の誘導加熱
コイルへ下側から吐出するように前記誘導加熱コイルの直下に配置した送風ダクト部と、
前記収容部の上に積層され前記発熱量小の誘導加熱コイルへの通電制御に係る制御部を収
容する収容部と、前記各収容部に分流して空気を吐出する単一のファンとを備え、前記電
装ボックスは、前記ファンから吐出される空気が分流して流れるように、前記発熱量大の
誘導加熱コイルへの通電制御に係る制御部を収容する収容部を流れ前記送風ダクト部から
吐出して前記発熱量大の誘導加熱コイル及びその周辺部を冷却する第１誘導加熱コイル側
空気通路と、前記発熱量小の誘導加熱コイルへの通電制御に係る制御部を収容する収容部
を流れ前記発熱量小の誘導加熱コイルの下側から吐出して前記発熱量小の誘導加熱コイル
及びその周辺部を冷却する第２誘導加熱コイル側空気通路とを形成し、前記第２誘導加熱
コイル側空気通路の発熱量よりも前記第１誘導加熱コイル側空気通路の発熱量が大きく、
前記第２誘導加熱コイル側空気通路の空気量よりも前記第１誘導加熱コイル側空気通路の
空気量が多く分流されるよう、前記第１誘導加熱コイル側空気通路と前記第２誘導加熱コ
イル側空気通路の空気入口に対して前記ファンの空気吐出口が配置されたことを特徴とす
る誘導加熱調理器。
【請求項２】
本体部の上面に天板を備え、前記本体部の内部に左右配置した発熱量大の誘導加熱コイ
ルと、前記左右配置した誘導加熱コイルの中央奥側に配置された発熱量小の誘導加熱コイ
ルと、前記各誘導加熱コイルへの通電制御に係る制御部を収容する電装ボックスを備えた
誘導加熱調理器において、前記電装ボックスは、前記左右配置の一方の誘導加熱コイルへ
の通電制御に係る第１制御部を収容する第１収容部と、前記第１収容部内を流れた空気を
前記発熱量大の誘導加熱コイルへ下側から吐出するように前記発熱量大の各誘導加熱コイ
ルの直下に左右方向に配置した送風ダクト部と、前記第１収容部の上に積層され前記左右
配置の他方の誘導加熱コイルへの通電制御に係る第２制御部を収容する第２収容部と、前
記第２収容部の上に積層され前記発熱量小の誘導加熱コイルへの通電制御に係る第３制御
部を収容する第３収容部と、前記第１収容部と第２収容部に分流して空気を吐出する単一
のファンとを備え、前記電装ボックスは、前記ファンから吐出される空気が分流して流れ
るように、前記第１収容部を流れ前記送風ダクト部から吐出して前記左右配置した発熱量
大の誘導加熱コイル及びその周辺部を冷却する第１空気通路と、前記第２収容部から前記
第３収容部を流れ前記発熱量小の誘導加熱コイルの下側から吐出して前記発熱量小の誘導
加熱コイル及びその周辺部を冷却する第２空気通路とを形成し、前記第２空気通路の発熱
量よりも前記第１空気通路の発熱量が大きく、前記第２空気通路の空気量よりも前記第１
空気通路の空気量が多く分流されるよう、前記第１空気通路と前記第２空気通路の空気入
口に対して前記ファンの空気吐出口が配置されたことを特徴とする誘導加熱調理器。
【請求項３】
前記ファンは、前記第２誘導加熱コイル側空気通路の空気量よりも前記第１誘導加熱コ
イル側空気通路の空気量が多く分流される関係にて、前記空気吐出口が、前記両収容部の
後面に形成した空気入口の両方に亘るように前記電装ボックスに取り付けられたことを特
徴とする請求項１に記載の誘導加熱調理器。
【請求項４】
前記ファンは、前記第２空気通路の空気量よりも前記第１空気通路の空気量が多く分流
される関係にて、前記空気吐出口が、第１収容部と第２収容部との後面に形成した空気入
口の両方に亘るように前記電装ボックスに取り付けられたことを特徴とする請求項２に記
載の誘導加熱調理器。
【請求項５】
前記発熱量小の誘導加熱コイルに替わって輻射式ヒータを備えたことを特徴とする請求
項１乃至請求項４のいずれかに記載の誘導加熱調理器。
【発明の詳細な説明】
【技術分野】
【０００１】
本発明は、天板の下方に配置した誘導加熱コイルへの通電制御に係る制御部を電装ボッ
クスに収容した誘導加熱調理器に関し、特に前記電装ボックスの改良によって良好な冷却
効果が得られる誘導加熱調理器に関する。
【背景技術】
【０００２】
システムキッチンにドロップイン方式にて組み込まれる本体ケース１の上面に耐熱ガラ
ス製の天板２を備え、天板２下方の内部上面左右に誘導加熱コイル３、３を配設し、これ
ら誘導加熱コイル３、３間の後方にラジェントヒータ４を配置し、本体ケース１の内部左
側下方に魚焼き用ロースターケース６を収納配置し、本体ケース１の内部右側後方に冷却
ファン１０を配置すると共にこの冷却ファン１０の前方に基板ケース１１を配置し、この
基板ケース１１には、マイクロコンピュータで構成した制御基板やインバータ回路等を収
納したものがある。（特許文献１参照）。
【先行技術文献】
【特許文献】
【０００３】
【特許文献１】特開２００３−２０８９６９号公報
【発明の概要】
【発明が解決しようとする課題】
【０００４】
この特許文献１のものは、冷却ファン１０からの冷風が、基板ケース１１を経てロース
ターケース６の側面に配置した遮熱板の通風孔から、ロースターケース６の底面に供給す
るよう構成されている。この場合、冷却ファン１０は、本体ケース１の内部右側後方に、
基板ケース１１とは別個の取り付けであるため、本体ケース１の内部では、冷却ファン１
０の取り付け作業と、基板ケース１１の取り付け作業とをそれぞれ別個に行なう煩雑さと
、更に、冷却ファン１０から基板ケース１１へ至る送風通路のシール結合作業の煩雑さも
生じるものとなる。
【０００５】
また、この特許文献１のものは、基板ケース１３内には、インバータユニットや制御基
板を収納するが、誘導加熱コイル２、２用の制御基板やインバータ回路等と、ラジェント
ヒータ４用の制御基板やインバータ回路等の収納形態についての技術の開示はなく、また
、これら制御基板やインバータ回路等の冷却効果の向上や修理・点検等のサービス製の向
上を図る収納形態についての技術の開示はない。
【０００６】
本発明は、複数の誘導加熱コイルを備え、これらの誘導加熱コイルへの通電制御に係る
制御部が収容される電装ボックスに冷却用ファンを一体化した構成とすることによって、
冷却ファン１０と基板ケース１１が別個の取り付けとなる特許文献１の問題点を解決し、
誘導加熱調理器の本体部内への電装ボックスと冷却用ファンとの取り付け作業の簡素化を
図ることができる新規な電装ボックスを提供する。
【０００７】
また、本発明は、本体部の上面に天板を備え、誘導加熱調理器の本体部の内部に複数の
誘導加熱コイルと、これらの誘導加熱コイルへの通電制御に係る制御部を収容する電装ボ
ックスを備えた誘導加熱調理器において、各誘導加熱コイルへの通電制御に係る制御部の
冷却効果の向上を図ることができると共に、これらの制御部の修理・点検等のサービス製
の向上を図ることができる新規な電装ボックスを提供するものである。
【０００８】
また本発明は、発熱量の大きい誘導加熱コイルへの通電制御に係る制御部と、発熱量の
小さい誘導加熱コイルへの通電制御に係る制御部とが収容される電装ボックスに、冷却用
ファンを一体化した構成とすることによって、冷却ファン１０と基板ケース１１が別個の
取り付けとなる特許文献１の問題点を解決し、誘導加熱調理器の本体部内への電装ボック
スと冷却用ファンとの取り付け作業の簡素化を図ることができる新規な電装ボックスを提
供する。
【０００９】
このため、本発明の電装ボックスは、各誘導加熱コイルに対応する制御部をそれぞれ異
なる収容部へ収容する形態とし、且つ、これら収容部が積層される構成とし、単一のファ
ンによってこの各収容部に分流して空気を送り込むように、この単一のファンを電装ボッ
クスに一体化した構成とすることによって、各収容部が送風のダクトの役目を果たすこと
によって、これら制御部の冷却効果の向上を図ることができると共に、各誘導加熱コイル
に対応する制御部が、どの収容部に収容されているかを判別し易く、該当する制御部の修
理・点検等のサービス製の向上を図ることができるものとする。
【００１０】
更に、本発明は、発熱量の大きい二つの誘導加熱コイルと発熱量の小さい一つの誘導加
熱コイルを備えた誘導加熱調理器において、発熱量の小さい誘導加熱コイルへの通電制御
に係る制御部と、発熱量の大きい二つの誘導加熱コイルへの通電制御に係る各制御部が、
別個の収容部に収容される３層積層形態の電装ボックスとし、単一のファンを電装ボック
スに一体化し、このファンからの空気が分流して３層積層の各収容部に送り込まれるよう
にすることによって、各収容部が送風のダクトの役目を果たすことによって、冷却効果の
向上を図ることができると共に、各誘導加熱コイルに対応する制御部が、どの収容部に収
容されているかを判別し易く、該当する制御部の修理・点検等のサービス製の向上を図る
ことができるものとする。
【００１１】
また、上記のような３層積層の各収容部において、単一のファンからの送風量が、各収
容部を経由する空気通路の発熱量に応じて分流されるよう、電装ボックスとファンの一体
化によって、それを達成するものである。
【００１２】
更に本発明は、上記発熱量小の誘導加熱コイルに替わって輻射式ヒータを備えるように
容易に変更でき、その場合も、同様の作用効果が達成できる誘導加熱調理器とする技術を
提供するものである。
【課題を解決するための手段】
【００１３】
第１発明の誘導加熱調理器は、本体部の上面に天板を備え、前記本体部の内部に発熱量
の大小異なる誘導加熱コイルと、前記各誘導加熱コイルへの通電制御に係る制御部を収容
する電装ボックスを備えた誘導加熱調理器において、前記電装ボックスは、前記発熱量大
の誘導加熱コイルへの通電制御に係る制御部を収容する収容部と、前記収容部内を流れた
空気を前記発熱量大の誘導加熱コイルへ下側から吐出するように前記誘導加熱コイルの直
下に配置した送風ダクト部と、前記収容部の上に積層され前記発熱量小の誘導加熱コイル
への通電制御に係る制御部を収容する収容部と、前記各収容部に分流して空気を吐出する
単一のファンとを備え、前記電装ボックスは、前記ファンから吐出される空気が分流して
流れるように、前記発熱量大の誘導加熱コイルへの通電制御に係る制御部を収容する収容
部を流れ前記送風ダクト部から吐出して前記発熱量大の誘導加熱コイル及びその周辺部を
冷却する第１誘導加熱コイル側空気通路と、前記発熱量小の誘導加熱コイルへの通電制御
に係る制御部を収容する収容部を流れ前記発熱量小の誘導加熱コイルの下側から吐出して
前記発熱量小の誘導加熱コイル及びその周辺部を冷却する第２誘導加熱コイル側空気通路
とを形成し、前記第２誘導加熱コイル側空気通路の発熱量よりも前記第１誘導加熱コイル
側空気通路の発熱量が大きく、前記第２誘導加熱コイル側空気通路の空気量よりも前記第
１誘導加熱コイル側空気通路の空気量が多く分流されるよう、前記第１誘導加熱コイル側
空気通路と前記第２誘導加熱コイル側空気通路の空気入口に対して前記ファンの空気吐出
口が配置されたことを特徴とする。
【００１４】
第２発明の誘導加熱調理器は、本体部の上面に天板を備え、前記本体部の内部に左右配
置した発熱量大の誘導加熱コイルと、前記左右配置した誘導加熱コイルの中央奥側に配置
された発熱量小の誘導加熱コイルと、前記各誘導加熱コイルへの通電制御に係る制御部を
収容する電装ボックスを備えた誘導加熱調理器において、前記電装ボックスは、前記左右
配置の一方の誘導加熱コイルへの通電制御に係る第１制御部を収容する第１収容部と、前
記第１収容部内を流れた空気を前記発熱量大の誘導加熱コイルへ下側から吐出するように
前記発熱量大の各誘導加熱コイルの直下に左右方向に配置した送風ダクト部と、前記第１
収容部の上に積層され前記左右配置の他方の誘導加熱コイルへの通電制御に係る第２制御
部を収容する第２収容部と、前記第２収容部の上に積層され前記発熱量小の誘導加熱コイ
ルへの通電制御に係る第３制御部を収容する第３収容部と、前記第１収容部と第２収容部
に分流して空気を吐出する単一のファンとを備え、前記電装ボックスは、前記ファンから
吐出される空気が分流して流れるように、前記第１収容部を流れ前記送風ダクト部から吐
出して前記左右配置した発熱量大の誘導加熱コイル及びその周辺部を冷却する第１空気通
路と、前記第２収容部から前記第３収容部を流れ前記発熱量小の誘導加熱コイルの下側か
ら吐出して前記発熱量小の誘導加熱コイル及びその周辺部を冷却する第２空気通路とを形
成し、前記第２空気通路の発熱量よりも前記第１空気通路の発熱量が大きく、前記第２空
気通路の空気量よりも前記第１空気通路の空気量が多く分流されるよう、前記第１空気通
路と前記第２空気通路の空気入口に対して前記ファンの空気吐出口が配置されたことを特
徴とする。
【００１５】
第３発明の誘導加熱調理器は、第１発明において、前記ファンは、前記第２誘導加熱コ
イル側空気通路の空気量よりも前記第１誘導加熱コイル側空気通路の空気量が多く分流さ
れる関係にて、前記空気吐出口が、前記両収容部の後面に形成した空気入口の両方に亘る
ように前記電装ボックスに取り付けられたことを特徴とする。
【００１６】
第４発明の誘導加熱調理器は、第２発明において、前記ファンは、前記第２空気通路の
空気量よりも前記第１空気通路の空気量が多く分流される関係にて、前記空気吐出口が、
第１収容部と第２収容部との後面に形成した空気入口の両方に亘るように前記電装ボック
スに取り付けられたことを特徴とする。
【００１７】
第５発明の誘導加熱調理器は、第１発明乃至第４発明において、前記発熱量小の誘導加
熱コイルに替わって輻射式ヒータを備え、前記発熱量小の誘導加熱コイルへの通電制御に
係る制御部に替わって前記輻射式ヒータへの通電制御に係る制御部を備えたことを特徴と
する。
【発明の効果】
【００１８】
本発明によって、誘導加熱調理器が、発熱量の大小異なる誘導加熱コイルを備えたもの
において、これら誘導加熱コイルの制御部を電装ボックスに収容し、これら制御部の冷却
と、各誘導加熱コイル及びその周辺部材の冷却が、単一ファンによって有効に行える電装
ボックス構成を提供できるものとなる。
【００１９】
そして、本発明の電装ボックスは、発熱量大の誘導加熱コイルに対応する制御部と発熱
量小の誘導加熱コイルに対応する制御部をそれぞれ異なる収容部へ収容する形態とし、且
つ、これら収容部が積層される構成とし、単一のファンによってこの各収容部に分流して
空気を送り込むように、この単一のファンを電装ボックスに一体化した構成とすることに
よって、各収容部が送風のダクトの役目を果たすことによって、これら制御部の冷却効果
の向上を図ることができると共に、各誘導加熱コイルに対応する制御部が、どの収容部に
収容されているかを判別し易く、該当する制御部の修理・点検等のサービス製の向上を図
ることができるものとなる。
【００２０】
更に、本発明では、二つの発熱量大の誘導加熱コイルと一つの発熱量小の誘導加熱コイ
ルを備えた誘導加熱調理器において、発熱量小の誘導加熱コイルへの通電制御に係る制御
部と、二つの発熱量大の誘導加熱コイルへの通電制御に係る各制御部が、別個の収容部に
収容される３層積層形態の電装ボックスとし、単一のファンを電装ボックスに一体化し、
このファンからの空気が分流して３層積層の各収容部に送り込まれるようにすることによ
って、各収容部が送風のダクトの役目を果たすことによって、冷却効果の向上を図ること
ができると共に、各誘導加熱コイルに対応する制御部が、どの収容部に収容されているか
を判別し易く、該当する制御部の修理・点検等のサービス製の向上を図ることができるも
のとなる。
【００２１】
また、上記のような３層積層の各収容部において、単一のファンからの送風量が、各収
容部を経由する空気通路の発熱量に応じて分流されるよう、電装ボックスとファンの一体
化によって、それを達成できるものとなる。
【００２２】
また、発熱量小の誘導加熱コイルに替わって輻射式ヒータ（ラジェントヒータともいう
）を備えた誘導加熱調理器とする場合でも、輻射式ヒータとその制御部の収容部に対して
も、上記同様の効果を得ることができる。
【図面の簡単な説明】
【００２３】
【図１】本発明に係る誘導加熱調理器の一部破断により内部を現した正面斜視図である。
【図２】本発明に係る誘導加熱調理器の加熱状態表示器ＨＰと誘導加熱コイルの部分の縦断面図である。
【図３】本発明に係る円弧状導光体と光源の関係を示す斜視図である。
【図４】本発明に係る誘導加熱調理器の電気的制御部を示すブロック図である。
【図５】本発明に係る誘導加熱調理器の電装ボックスの分解斜視図である。
【図６】本発明に係る電装ボックスの組み立てられた状態の正面斜視図である。
【図７】本発明に係るファンの斜視図である。
【図８】本発明に係る電装ボックスの内部構成を説明する縦断側面図である。
【発明を実施するための形態】
【００２４】
本発明では、天板に対して配置した加熱源が誘導加熱コイルのみの誘導加熱調理器にお
いては、誘導加熱コイルへの通電制御に係る制御部を電装ボックスに収容する形態とし、
この電装ボックスに一体的に、冷却用ファンと、誘導加熱コイルの下側から送風して誘導
加熱コイル及び周辺部材の冷却のための送風ダクト部とを設けることにより、単一のファ
ンによって、前記制御部の冷却と共に、誘導加熱コイル及び周辺部材へ有効に送風して冷
却する新規な電装ボックス構成とする。
【００２５】
また、発熱量の大小異なる誘導加熱コイルと、前記各誘導加熱コイルへの通電制御に係
る制御部を収容する電装ボックスを備えた誘導加熱調理器においては、発熱量大の誘導加
熱コイルへの通電制御に係る制御部と、発熱量小の誘導加熱コイルへの通電制御に係る制
御部とを電装ボックスに収容する形態とし、この電装ボックスに一体的に、冷却用ファン
と、各誘導加熱コイル及びその周辺部材の冷却のための送風用のダクトとを設けることに
より、単一のファンによって、前記各制御部の冷却と共に、各誘導加熱コイル及びその周
辺部材へ通じるそれぞれの送風通路の発熱量に応じた送風量にて、これらを効果的に冷却
する新規な電装ボックス構成とする。
【００２６】
更に、本発明では、二つの発熱量大の誘導加熱コイルと一つの発熱量小の誘導加熱コイ
ルを備えた誘導加熱調理器において、発熱量大の誘導加熱コイルへの通電制御に係る制御
部と、発熱量小の誘導加熱コイルへの通電制御に係る制御部とを電装ボックスのそれぞれ
の収容部に分散収容する形態とし、この電装ボックスに一体的に、冷却用ファンと、各誘
導加熱コイル及びその周辺部材の冷却のための送風用のダクトとを設けることにより、単
一のファンによって、前記各制御部の冷却と共に、各誘導加熱コイル及び周辺部材へ有効
に送風して冷却する新規な電装ボックス構成とする。
【実施例１】
【００２７】
以下、本発明の実施例として、二つの発熱量大の誘導加熱コイルと一つの発熱量小の誘
導加熱コイルを備えた代表的な誘導加熱調理器の実施形態について、添付図面を参照して
詳細に説明する。
図１は、本発明の第１実施形態にかかる誘導加熱調理器１の外観構成を示す斜視図であ
る。同図に示す誘導加熱調理器１は、システムキッチンなどにドロップイン方式で組み込
まれて設置される調理器であり、略矩形状のケースに収納された本体部２と、本体部２の
上面に装着された耐熱ガラス製の天板３を備え、本体部２の内部には、手前側（前側）に
天板３の下方に間隔を保って設置された熱源となる左右一対の発熱量大なる第１誘導加熱
コイル４及び第２誘導加熱コイル５と、それらの中央奥側（後側）に誘導加熱コイル４及
び５と間隔を保って配置された一つの発熱量小の第３誘導加熱コイル６を備えている。誘
導加熱コイル４、５及び６にそれぞれ対応する天板３には、鍋等の調理容器を載置する場
所を明示するために、円形状の調理容器載置部８、８及び９が印刷などによって表示され
ている。本実施例では、誘導加熱コイル４、５は３Ｋｗの発熱量のものであり、誘導加熱
コイル６は２Ｋｗの発熱量のものであるがこれに限定されない。
【００２８】
一方、天板３の下方部分において、本体部２の前面から見て一方側（図示のものは左側
）には、内部に配置した電熱ヒータ（図示せず）にて魚等の食品を焼き上げるグリル７が
配置され、グリル７の前面開口は手前側へ魚等の食品を引き出し可能に支持されたグリル
扉７Ａにて開閉される。また、本体部２の前面から見て他方側（図示のものは右側）、即
ち、グリル７の右隣りの空間に本発明に係る電装ボックス３５が配置され、電装ボックス
３５の前面側にはグリル扉７Ａの右側に操作パネル１０が配置されている。
【００２９】
誘導加熱コイル４、５及び６は、それぞれ合成樹脂製のコイル台４Ａ、５Ａ、６Ａに支
持されており、図２に示すように、天板３の下方に位置する支持板部２６に設けた支持ボ
ス２６Ａにネジ２７で取り付けている。支持板部２６は、特別に設けたものでもよく、ま
た、グリル７を取り囲む天井板及び電装ボックス３５の上面板で形成されるものでもよい
。以下、支持板部２６は天井板２６と称することとする。図示の形態では、誘導加熱コイ
ル４のコイル台４Ａは、グリル７の天井板２６の支持ボス２６Ａにネジ２７で取り付けら
れる。また、誘導加熱コイル５のコイル台５Ａは、後述のように、電装ボックス３５の上
面板３９の支持ボス３９Ａにネジで取り付けられ、誘導加熱コイル６のコイル台６Ａは、
後述のように、一部がグリル７の天井板２６の支持ボス２６Ａにネジ２７で取り付けられ
、他の部分が電装ボックス３５の上面板３９の支持ボス３９Ａにネジで取り付けられる構
成である。
【００３０】
操作部１０には、シーソー式の電源スイッチ１１、ＯＮ−ＯＦＦをプッシュ式で行なう
３個の操作つまみ１２、３個の操作つまみ１２に対応配置したＬＥＤによる表示部１３な
どが配設されている。３個の操作つまみ１２は、それぞれ誘導加熱コイル４、５及び６に
対応し、それぞれプッシュ操作により引き出されることによって、誘導加熱コイル４、５
及び６への通電による運転を開始できる一方、プッシュ操作により押し込まれることで、
それらの運転が停止されるようになっている。また、操作つまみ１２を引き出し位置で回
転操作することで、それぞれ誘導加熱コイル４、５、６による火力や調理時間、調理温度
などの各種設定が行えるようになっている。
【００３１】
天板３の外周には、天板枠３Ａが設けられており、天板枠３Ａの前端辺には、操作窓１
４が左右方向に長く穿孔されており、操作窓１４内にはタッチキーで構成された操作部１
５が配置されている。操作部１５には、火力キー、湯沸しキー、揚げ物キー等のタッチ領
域が印刷により形成されている。また、天板３の後部分に排気口と吸気口を設けるために
、天板枠３Ａの後端辺には、左右一対の排気口１６と吸気口１７が形成されている。一方
、操作部１５と両誘導加熱コイル４、５との間には、バックライト付きの液晶表示パネル
からなる表示部１８が設けられている。表示部１８は、設定火力や調理時間、調理温度な
どの調理に関する情報などを数字及びまたは図形にて表示できるようになっている。
【００３２】
加熱状態表示器ＨＰは、図２に示すように、誘導加熱コイル４、５の周囲の前面側には
、誘導加熱コイル４、５を支持するコイル台４Ａ、５Ａに、合成樹脂の成形等によって上
面開口の凹状の収納溝１９Ａを形成した円弧状導光体ケース１９が取り付けられている。
導光体ケース１９の凹状の収納溝１９Ａには、横断側面形状が四角形または円形をなす円
弧状の透明樹脂材等（例えば、アクリル樹脂）により形成した導光体２０を収納している
。円弧帯状導光体２０は、天板３の上面側から視覚可能なるように、天板３には調理容器
載置部８、８の外周部の手前側に円弧状の透明な透光部２１が形成され、この透光部２１
の真下に導光体２０が配置されるように導光体ケース１９が取り付けられている。
【００３３】
図３に示すように、導光体２０は、その左右両端部に光源２２を配置している。光源２
２は、赤色光を発するＬＥＤ（発光ダイオード）２３、緑色光を発するＬＥＤ（発光ダイ
オード）２４、青色光を発するＬＥＤ（発光ダイオード）２５を備えており、誘導加熱コ
イル８、８による加熱の強、中、弱の動作状態を表示するための異なる色の可視光線を発
するようにいる。
【００３４】
図４は、本実施形態の誘導加熱調理器１の電気的な制御部２８を示すブロック図である
。図４に示すように、誘導加熱調理器１は、該誘導加熱調理器１の各部を制御するマイク
ロコンピュータ構成のメイン制御部２９、図１に示す表示部１３、表示部１８及び光源２
２に係る表示制御部１８Ｔ、図１に示す操作部１０及び操作部１５に係る操作制御部１０
Ｔ、誘導加熱調理器１の制御に必要な各種データなどを格納するメモリ３０、音声出力部
３１、音声出力部３１に接続されたスピーカ３２、調理機能の制御を行うための調理機能
制御部３３の各部を備えている。調理機能制御部３３は、誘導加熱コイル４の通電制御を
行うＩＨ４制御部３３Ａ、誘導加熱コイル５の通電制御を行うＩＨ５制御部３３Ｂ、誘導
加熱コイル６の通電制御を行うＩＨ６制御部３３Ｃ、グリル７の電熱ヒータの通電制御を
行うグリル制御部３３Ｄ、電装ボックス３５のファン４０の運転を制御するファン制御部
３３Ｅなどを有しており、誘導加熱調理器１の調理に関する機能を有する各部を制御する
ようになっている。
【００３５】
電装ボックス３５は、誘導加熱調理器１の電気的な制御部２８の全体を収容、または制
御部２８の中の選択された制御部を収容する方法がある。電装ボックス３５には、制御部
２８の全体を収容する形態も考えられるが、実施例では、各制御回路部とそれに接続され
る部分との配置関係や、各制御回路基板間の配線等を考慮して、電装ボックス３５には、
制御部２８の中の選択された制御部を収容している。その場合、電装ボックス３５には、
制御部２８の中の発熱量の大きい制御部を収容し、この収容された制御部を単一ファン４
０によって冷却することにより、安定した動作を確保するようにしている。
【００３６】
誘導加熱コイル４、５及び６の通電制御に係る制御部３３Ａ、３３Ｂ、３３Ｃは、発熱
量を可変制御するためのインバータ回路を含む回路構成であるため、発熱量の大きい制御
部である。このため、少なくとも、電装ボックス３５には、これら制御部３３Ａ、３３Ｂ
、３３Ｃを収容し、これら制御部３３Ａ、３３Ｂ、３３Ｃの冷却を行うと共に、誘導加熱
コイル４、５の冷却と、誘導加熱コイル６の冷却と、誘導加熱コイル４、５の周辺部の冷
却と、誘導加熱コイル６の周辺部の冷却とを単一ファン４０によって行なう構成としてい
る。
【００３７】
図示の形態では、誘導加熱調理器１がグリル７を備えるタイプであり、電装ボックス３
５は、グリル７の右隣りの空間に配置されている。以下、グリル７を備える誘導加熱調理
器１の構成を図５乃至図８に基づき詳細に説明する。電装ボックス３５は、誘導加熱コイ
ル４、５及び６の通電制御に係る制御部がプリント配線基板に取り付けられた状態で収容
されるボックス本体部３５Ａと、誘導加熱コイル４、５の直下に配置した送風ダクト部３
５Ｂとで構成されている。送風ダクト部３５Ｂは、ボックス本体部３５Ａの上面部に略水
平状態で左右方向（横方向）に配置されている。
【００３８】
ボックス本体部３５Ａは、３層に積層された収納部構造をなし、最下部の第１層には、
誘導加熱コイル４及び５の通電制御に係る制御部３３Ａ、３３Ｂのうちの一方の制御部を
収容する第１収容部３６を形成している。中間部の第２層には、誘導加熱コイル４及び５
のうちの他方の通電制御に係る制御部（図示では３３Ａ）を収容する第２収容部３７を形
成している。そして、最上部の第３層には、誘導加熱コイル６の通電制御に係る制御部３
３Ｃを収容する第３収容部３８を形成している。
【００３９】
誘導加熱コイル４及び５が同等の発熱量を有するものである場合は、誘導加熱コイル４
または５の一方を第１収容部３６に収容し、他方を第２収容部３７に収容する。また、誘
導加熱コイル４及び５が異なる発熱量を有するものである場合は、大きい発熱量の方を第
１収容部３６に収容し、小さい発熱量の方を第２収容部３７に収容する。図示のものでは
、誘導加熱コイル４及び５は同等の発熱量を有するものであるため、第１収容部３６には
誘導加熱コイル４の通電制御に係る制御部３３Ａを収容してもよいが、誘導加熱コイル５
の通電制御に係る制御部３３Ｂを収容する形態となっている。以下、この収容状態に基づ
き説明するものとする。
【００４０】
図５は電装ボックス３５の分解斜視図である。これから明らかなように、第１収容部３
６、第２収容部３７、及び第３収容部３８は、それぞれ底壁と周囲壁で囲まれ上面が開放
した形態であり、それぞれ合成樹脂の成形によって形成されている。第１収容部３６には
、誘導加熱コイル５の通電制御に係るインバータ回路を含む制御部３３Ｂが収容され、第
２収容部３７には、誘導加熱コイル４の通電制御に係るインバータ回路を含む制御部３３
Ａが収容され、第３収容部３８には、誘導加熱コイル６の通電制御に係るインバータ回路
を含む制御部３３Ｃが収容される。
【００４１】
制御部３３Ｂは、誘導加熱コイル５の通電制御に係る制御部３３Ｂを構成する電気部品
３３Ｂ１とその放熱フィン（アルミニウムの押し出し材で形成したもの）３３Ｂ２がプリ
ント配線基板に取り付けられた構成である。また、制御部３３Ａは、誘導加熱コイル４の
通電制御に係る制御部３３Ａを構成する電気部品３３Ａ１とその放熱フィン（アルミニウ
ムの押し出し材で形成したもの）３３Ａ２がプリント配線基板に取り付けられた構成であ
る。更に、制御部３３Ｃは、誘導加熱コイル６の通電制御に係る制御部３３Ｃを構成する
電気部品３３Ｃ１とその放熱フィン（アルミニウムの押し出し材で形成したもの）３３Ｃ
２がプリント配線基板に取り付けられた構成である。
【００４２】
電装ボックス３５は、制御部３３Ｂ、３３Ａ、３３Ｃの冷却、及び誘導加熱コイル４、
５及び６の冷却並びその周辺部の冷却を行うために、ファン４０が電装ボックス３５の後
部に組み込まれている。ファン４０は、図７に示すように、シロッコファン４０Ａが電動
機４０Ｂによって駆動される形態であり、シロッコファン４０Ａを取り囲むファンケース
４０Ｃと電動機４０Ｂが、電装ボックス３５の後部に取り付けられている。シロッコファ
ン４０Ａは、ファンケース４０Ｃの側面に開口した空気吸い込み口４１から空気を吸い込
み、ファンケース４０Ｃの正面側に開口した空気吐出口４２から吐出される。このため、
ファンケース４０Ｃは、空気吐出口４２が第１収容部３６と第２収容部３７の各後壁面に
形成した空気入口３６Ｅ、３７Ｅの両方に亘るように、電装ボックス３５の後部に取り付
けられ、それによって、空気吐出口４２から空気入口３６Ｅ、３７Ｅへ流入する空気量は
、第２収容部３７の底壁３７Ｔの後端によってＰとＱに分流され、第１収容部３６と第２
収容部３７へＰとＱに分流して流通する。
【００４３】
電装ボックス３５は、第１収容部３６の空気出口と送風ダクト部３５Ｂの空気入口とを
連通するための連通ダクト４４を側面部に備えている。また、冷却用空気を導くために、
単一のファン４０への空気吸い込み側のダクト４３が、誘導加熱調理器１の後部の吸気口
１７に連通するように、電装ボックス３５の後側に配置されている。それぞれ第１収容部
３６、第２収容部３７、及び第３収容部３８の右側面には、縦方向に形成されたダクト３
６Ｄ、３７Ｄ、３８Ｄを一体に成形によって形成している。連通ダクト４４は、ダクト３
６Ｄ、３７Ｄ、３８Ｄが連通することによって、電装ボックス３５の右側面に縦方向に形
成される。連通ダクト４４の空気吸い込み口となる下端部がダクト３６Ｄにて形成され、
連通ダクト４４の空気吐出口となるダクト３８Ｄの上端部は、送風ダクト部３５Ｂの空気
吸い込み口となる右端部に連通する状態となる。なお、空気吸い込み側のダクト４３は、
電装ボックス３５に一体化しなくてもよい。
【００４４】
上記の制御部３３Ｂ、３３Ａ、３３Ｃが収容され、単一のファン４０が取り付けられた
状態で、第１収容部３６の上面開口を第２収容部３７の底壁で塞ぐように、第１収容部３
６の上面開口に第２収容部３７を載せる。また、第２収容部３７の上面開口を第３収容部
３８の底壁で塞ぐように、第２収容部３７の上面開口に第３収容部３８を載せる。また、
第３収容部３８の上面開口を上面板３９で塞ぐように、第３収容部３８の上面開口に上面
板３９を載せる。更に、３個の支持ボス３９Ａ間に位置決めされるように上面板３９の上
面に、送風ダクト部３５Ｂを左右方向状態に載せる。
【００４５】
第１収容部３６と第２収容部３７は、それぞれ形成したフランジ形態の結合部３６Ａと
３７Ａ１がネジにて結合されて一体化される。また、第２収容部３７と第３収容部３８は
、それぞれ形成したフランジ形態の結合部３７Ａ２と３８Ａ１がネジにて結合されて一体
化される。更に、第３収容部３８と上面板３９は、それぞれ形成したフランジ形態の結合
部３８Ａ２と３９Ａ１がネジにて結合されて一体化される。更にまた、上面板３９と送風
ダクト部３５Ｂは、送風ダクト部３５Ｂに形成したフランジ形態の結合部３５Ｂ１が上面
板３９の結合孔３９Ａ３にネジにて結合されて一体化される。このようにして組み立てら
れた電装ボックス３５は、図６に示している。
【００４６】
このような組み立てによって、連通ダクト４４の空気吸い込み口となる下端部は、第１
収容部３６の右側面に連通し、連通ダクト４４の空気吐出口となる上端部は、送風ダクト
部３５Ｂの空気吸い込み口となる右端部に連通する状態となる。
【００４７】
なお、組み立てられた電装ボックス３５が本体部２に収納設置されるとき、上面板３９
に形成したフランジ形態の結合部３９Ａ２、及び送風ダクト部３５Ｂに形成したフランジ
形態の結合部３５Ｂ２が、前記グリル７の天井板２６にネジにて結合される。このように
、電装ボックス３５が本体部２に収納設置されることにより、送風ダクト部３５Ｂの下面
は、前記グリル７の天井板２６にて塞がれ、左右方向の空気ダクトが形成される。なお、
送風ダクト部３５Ｂは、それ自体で空気ダクトを形成するように、その下面が予め塞がれ
たダクト形態であっても差し支えない。
【００４８】
上記のように組み立てられた電装ボックス３５が、図１に示すように本体部２に収納設
置された状態において、送風ダクト部３５Ｂは、グリル７の天井と天板３との間の空間に
おいて、左右方向に略水平状態配置でもって、誘導加熱コイル４、５を支持するコイル台
４Ａ、５Ａの下方部に位置する。この状態において、ファン４０の運転によって、誘導加
熱調理器１の後部の吸気口１７から吸い込まれた誘導加熱調理器１の周辺部の空気は、吸
気口１７に連通した吸気ダクト４３を通り、空気吸い込み口４１からシロッコファン４０
Ａへ吸い込まれ、図８に矢印で示すように、空気吐出口４２から第１収容部３６と第２収
容部３７の後端部に形成した空気入口３６Ｅ、３７Ｅへ流入する。空気吐出口４２から空
気入口３６Ｅ、３７Ｅへ流入する空気量は、第２収容部３７の底壁３７Ｔの後端によって
ＰとＱに分流され、第１収容部３６と第２収容部３７へＰとＱに分流して流通する。
【００４９】
第１収容部３６へ流入した空気は、制御部３３Ｂを冷却した後、連通ダクト４４を通っ
て送風ダクト部３５Ｂへ流れる。送風ダクト部３５Ｂの上面には、誘導加熱コイル４、５
の下面に対応する位置に、空気吐出部として複数の空気吐出口３５Ｄを形成しており、こ
の空気吐出口３５Ｄから吐出する空気によって、誘導加熱コイル４、５及びそれを支持す
るコイル台４Ａ、５Ａ等周辺部材を冷却する。誘導加熱コイル４、５及びそれを支持する
コイル台４Ａ、５Ａ等周辺部材を冷却した空気は、天板３の下面の空間に沿って流れ、そ
の間に、表示制御部１８Ｔ及びその他の部分を冷却しつつ、誘導加熱調理器１の後部の排
気口１６から誘導加熱調理器１の外へ排出される。
【００５０】
このように、第１収容部３６へ流入した空気が、制御部３３Ｂを冷却した後、誘導加熱
コイル４、５の下側から吐出され、誘導加熱コイル４、５及びその周辺部を冷却するよう
に流れる空気通路が形成されることとなり、これを第１空気通路と称することとする。
【００５１】
一方、第２収容部３７へ流入した空気は、制御部３３Ａを冷却した後、第２収容部３７
の前端部と第３収容部３８の前端部に形成した連通部４５から第３収容部３８へ流入し、
制御部３３Ｃを冷却する。制御部３３Ｃを冷却した空気は、その一部が第３収容部３８の
後端部に対応して上面板３９に形成した第１空気吐出口４６から、ガイド壁４８に沿って
上面板３９と天板３との間の空間に吐出される。また、上面板３９には、誘導加熱コイル
６及びそれを支持するコイル台６Ａに対応する位置に、空気吐出部として複数の第２空気
吐出口４７を形成しており、制御部３３Ｃを冷却した空気は、この第２空気吐出口４７か
ら吐出する空気によって、誘導加熱コイル６及びそれを支持するコイル台６Ａ等を冷却す
る。
【００５２】
第１空気吐出口４６から上面板３９と天板３との間の空間に吐出される空気と、第２空
気吐出口４７から吐出する空気は、天板３の下面に沿って流れ、その間に各部を冷却しつ
つ誘導加熱調理器１の後部の排気口１６から誘導加熱調理器１の外へ排出される。
【００５３】
このように、第２収容部３７へ流入した空気が、制御部３３Ａを冷却した後、第３収容
部３８へ流入して制御部３３Ｃを冷却し、誘導加熱コイル６及びその周辺部を冷却するよ
うに流れる空気通路が形成されることとなり、これを第２空気通路と称することとする。
【００５４】
上記のように、電装ボックス３５には、単一のファン４０によって空気吐出口４２から
吐出される冷却用空気が流れる空気通路として、第１収容部３６から連通ダクト４４を通
って送風ダクト部３５Ｂへ流れて誘導加熱コイル４、５及びその周辺を冷却する第１空気
通路と、第２収容部３７から第３収容部３８を流れて誘導加熱コイル６及びその周辺を冷
却する第２空気通路とが形成されている。このため、単一のファン４０によって空気吐出
口４２から第１収容部３６と第２収容部３７へＰとＱに分流して送風される空気量の割合
は、この第１空気通路と第２空気通路とにおける冷却効果が適切に行なわれる割合に分流
されることが好ましい。
【００５５】
誘導加熱コイル４及び５、誘導加熱コイル６、並びにこれらの通電制御に係る制御部３
３Ｂ、３３Ａ、３３Ｃが、どのような空気通路に配置されるかによって、その空気通路の
発熱量が定まるが、実施例の構成では、前記第２空気通路の発熱量よりも前記第１空気通
路の発熱量が大きい設定である。このため、第１空気通路を流れる空気量が第２空気通路
を流れる空気量よりも多くなるように、ファン４０によって空気吐出口４２から吐出され
る空気の分流割合を定めている。
【００５６】
その実施例の一つとして、前記第２空気通路の発熱量よりも前記第１空気通路の発熱量
が略３倍であるため、第１収容部３６へ流入する空気量Ｐは、第２収容部３７へ流入する
空気量Ｑの３倍の空気量が流れるように、空気吐出口４２を第１収容部３６と第２収容部
３７の後端部の空気入口に対して配置しており、空気吐出口４２から３：１の割合に分流
して送風される構成によって、好ましい冷却効果が得られている。
【００５７】
電装ボックス３５には、制御部２８の中の発熱量の大きい制御部を収容し、これらの制
御部を単一ファンによって冷却することにより、安定した動作を確保するようにしている
ため、上記の構成では、制御部２８の中の発熱量の大きい制御部であるところの誘導加熱
コイル５、４及び６の通電制御に係る制御部３３Ｂ、３３Ａ、３３Ｃが、３層に分かれて
、それぞれ第１収容部３６、第２収容部３７、第３収容部３８へ収容された構成である。
【００５８】
しかし、制御部２８のその他の部分である操作制御部１０Ｔ、表示制御部１８Ｔ、メイ
ン制御部２９、メモリ３０、音声出力部３１、グリル制御部３３Ｄ、ファン制御部３３Ｅ
のうち、選択されたもの、またはこれらすべてを、第１収容部３６、第２収容部３７、第
３収容部３８のいずれかに、または分散して収容するようにしてもよい。例えば、発熱量
の大きいグリル制御部３３Ｄを第１収容部３６に収容するようにしてもよい。また、グリ
ル制御部３３Ｄを第１収容部３６に収容し、メイン制御部２９を第２収容部３７または第
３収容部３８に収容するようにしてもよい。更に、図１に示すように、表示制御部１８Ｔ
を天板３の下側空間に配置し、その他の操作制御部１０Ｔ、メイン制御部２９、メモリ３
０、音声出力部３１、グリル制御部３３Ｄ、ファン制御部３３Ｅが、それぞれ第１収容部
３６、第２収容部３７、第３収容部３８へ分散して収容するようにしてもよい。
【００５９】
この場合も、前記第２空気通路の発熱量よりも前記第１空気通路の発熱量が大きい設定
である。このため、第１空気通路を流れる空気量が第２空気通路を流れる空気量よりも多
くなるように、ファン４０によって空気吐出口４２から吐出される空気の分流割合を定め
る。そして、前記第２空気通路の発熱量よりも前記第１空気通路の発熱量が略３倍である
構成では、第１収容部３６へ流入する空気量Ｐは、第２収容部３７へ流入する空気量Ｑの
３倍の空気量が流れるように、空気吐出口４２を第１収容部３６と第２収容部３７の後端
部の空気入口に対して配置しており、空気吐出口４２から３：１の割合に分流して送風さ
れる構成によって、好ましい冷却効果が得られる。
【００６０】
また、上記で説明した誘導加熱調理器１は、誘導加熱コイル５、４及び６を備えたもの
であるが、一つの発熱量大の誘導加熱コイル（例えば誘導加熱コイル５）を備え、一つの
発熱量小の誘導加熱コイル６を備える誘導加熱調理器１においては、第２収容部３７に制
御部３３Ｃを収容し、第３収容部３８を省いた２層構造となり、第１収容部３６の上面開
口に第２収容部３７を載せ、第２収容部３７の上面開口を上面板３９で塞ぐように、第２
収容部３７の上面開口に上面板３９を載せる。更に、上面板３９の上面に送風ダクト部３
５Ｂを左右方向状態に載せる構成とすればよい。
【００６１】
この場合、単一のファン４０によって空気吐出口４２から吐出される冷却用空気が流れ
る空気通路として、上記一つの発熱量大の誘導加熱コイル（例えば誘導加熱コイル５）へ
の通電制御に係る制御部３３Ｂを収容する収容部３６を流れ、ダクト３６Ｄ、３７Ｄを通
って送風ダクト部３５Ｂから吐出して誘導加熱コイル５及びその周辺部を冷却する第１誘
導加熱コイル側空気通路と、更に、一つの発熱量小の誘導加熱コイル６への通電制御に係
る制御部３３Ｃを収容する収容部３７を流れ、発熱量小の誘導加熱コイル６の下側から吐
出して誘導加熱コイル６及び周辺部を冷却する第２誘導加熱コイル側空気通路とが形成さ
れるものとなる。この場合も、前記第２誘導加熱コイル側空気通路の発熱量よりも前記第
１誘導加熱コイル側空気通路の発熱量が大きいため、ファン４０は、第２誘導加熱コイル
側空気通路の空気量よりも第１誘導加熱コイル側空気通路の空気量が多く分流される関係
にて、空気吐出口４２が、両収容部３６、３７の後面に形成した空気入口３６Ｅ、３７Ｅ
の両方に亘るように電装ボックス３５に取り付けられる。
【実施例２】
【００６２】
上記実施例１で説明した誘導加熱調理器１は、誘導加熱コイル５、４及び６を備えたも
のであるが、誘導加熱コイル６の替わりに、輻射式ヒータ（ラジェントヒータともいう、
以下、ＲＨと称することとする）を配置する構成とすることもできる。この場合、図４に
示す電気的制御部２８は、ＩＨ６制御部３３Ｃの替わりに輻射式ヒータの通電制御に係る
制御部（ここでは、制御部３３Ｈと称することとする）を設ければよく、電装ボックス３
５の第３収容部３８には、この制御部３３Ｈを収容して、上記同様の空気の流れを形成す
れば、上記同様の作用効果を達成できる。
【００６３】
この場合の具体的な構成は、上記図１乃至図８、及び上記の説明において、誘導加熱コ
イル６を輻射式ヒータＲＨとし、ＩＨ６制御部３３Ｃを輻射式ヒータの通電制御部３３Ｈ
とすれば、他の部分は上記説明と同じである。この場合の技術的手段としては、以下の通
りとなる。
【００６４】
即ち、第６発明の誘導加熱調理器１は、本体部の上面に天板を備え、本体部の内部に誘
導加熱コイルと、輻射式ヒータと、誘導加熱コイルへの通電制御に係る制御部及び輻射式
ヒータへの通電制御に係る制御部を収容する電装ボックスを備えた誘導加熱調理器におい
て、前記電装ボックスは、前記誘導加熱コイルへの通電制御に係る制御部を収容する収容
部と、前記収容部内を流れた空気を前記誘導加熱コイルへ下側から吐出するように前記誘
導加熱コイルの直下に配置した送風ダクト部と、前記収容部の上に積層され前記輻射式ヒ
ータへの通電制御に係る制御部を収容する収容部と、前記各収容部に分流して空気を吐出
する単一のファンとを備え、前記電装ボックスは、前記ファンから吐出される空気が分流
して流れるように、前記誘導加熱コイルへの通電制御に係る制御部を収容する収容部を流
れ前記送風ダクト部から吐出して前記誘導加熱コイル及びその周辺部を冷却する誘導加熱
コイル側空気通路と、前記輻射式ヒータへの通電制御に係る制御部を収容する収容部を流
れ前記輻射式ヒータの下側から吐出して前記輻射式ヒータ及び周辺部を冷却する輻射式ヒ
ータ側空気通路とを形成し、前記輻射式ヒータ側空気通路の発熱量よりも前記誘導加熱コ
イル側空気通路の発熱量が大きく、前記輻射式ヒータ側空気通路の空気量よりも前記誘導
加熱コイル側空気通路の空気量が多く分流されるよう、前記誘導加熱コイル側空気通路と
前記輻射式ヒータ側空気通路の空気入口に対して前記ファンの空気吐出口が配置されたこ
とを特徴とする。
【００６５】
第７発明の誘導加熱調理器は、本体部の上面に天板を備え、前記本体部の内部に左右配
置した誘導加熱コイルと、前記左右配置した誘導加熱コイルの中央奥側に配置された輻射
式ヒータと、前記誘導加熱コイル及び前記輻射式ヒータへの通電制御に係る制御部を収容
する電装ボックスを備えた誘導加熱調理器において、前記電装ボックスは、前記左右配置
の一方の誘導加熱コイルへの通電制御に係る第１制御部を収容する第１収容部と、前記第
１収容部内を流れた空気を前記誘導加熱コイルへ下側から吐出するように前記各誘導加熱
コイルの直下に左右方向に配置した送風ダクト部と、前記第１収容部の上に積層され前記
左右配置の他方の誘導加熱コイルへの通電制御に係る第２制御部を収容する第２収容部と
、前記第２収容部の上に積層され前記輻射式ヒータへの通電制御に係る第３制御部を収容
する第３収容部と、前記第１収容部と第２収容部に分流して空気を吐出する単一のファン
とを備え、前記電装ボックスは、前記ファンから吐出される空気が分流して流れるように
、前記第１収容部を流れ前記送風ダクト部から吐出して前記誘導加熱コイル及び周辺部を
冷却する第１空気通路と、前記第２収容部から前記第３収容部を流れ前記輻射式ヒータの
下側から吐出して前記輻射式ヒータ及び周辺部を冷却する第２空気通路とを形成し、前記
第２空気通路の発熱量よりも前記第１空気通路の発熱量が大きく、前記第２空気通路の空
気量よりも前記第１空気通路の空気量が多く分流されるよう、前記第１空気通路と前記第
２空気通路の空気入口に対して前記ファンの空気吐出口が配置されたことを特徴とする。
【００６６】
第８発明の誘導加熱調理器は、第６発明において、前記ファンは、前記輻射式ヒータ側
空気通路の空気量よりも前記誘導加熱コイル側空気通路の空気量が多く分流される関係に
て、前記空気吐出口が、前記両収容部の後面に形成した空気入口の両方に亘るように前記
電装ボックスに取り付けられたことを特徴とする。
【００６７】
第９発明の誘導加熱調理器は、第７発明において、前記ファンは、前記第２空気通路の
空気量よりも前記第１空気通路の空気量が多く分流される関係にて、前記空気吐出口が、
第１収容部と第２収容部との後面に形成した空気入口の両方に亘るように前記電装ボック
スに取り付けられたことを特徴とする。
【００６８】
これによって、以下の効果を奏するものとなる。即ち、この第６発明乃至第９発明によ
って、誘導加熱調理器が、誘導加熱コイルと輻射式ヒータ（ラジェントヒータともいう）
を備えたものにおいて、誘導加熱コイルや輻射式ヒータの制御部を電装ボックスに収容し
、これら制御部の冷却と、誘導加熱コイル及びその周辺部材の冷却、更には、輻射式ヒー
タ及びその周辺部材の冷却が、単一ファンによって有効に行える電装ボックス構成を提供
できるものとなる。
【００６９】
そして、第６発明乃至第９発明の電装ボックスは、誘導加熱コイルに対応する制御部と
輻射式ヒータに対応する制御部をそれぞれ異なる収容部へ収容する形態とし、且つ、これ
ら収容部が積層される構成とし、単一のファンによってこの各収容部に分流して空気を送
り込むように、この単一のファンを電装ボックスに一体化した構成とすることによって、
各収容部が送風のダクトの役目を果たすことによって、これら制御部の冷却効果の向上を
図ることができると共に、誘導加熱コイルと輻射式ヒータに対応する制御部が、どの収容
部に収容されているかを判別し易く、該当する制御部の修理・点検等のサービス製の向上
を図ることができるものとなる。
【００７０】
更に、第６発明乃至第９発明では、二つの誘導加熱コイルと一つの輻射式ヒータを備え
た誘導加熱調理器において、輻射式ヒータへの通電制御に係る制御部と、二つの誘導加熱
コイルへの通電制御に係る各制御部が、別個の収容部に収容される３層積層形態の電装ボ
ックスとし、単一のファンを電装ボックスに一体化し、このファンからの空気が分流して
３層積層の各収容部に送り込まれるようにすることによって、各収容部が送風のダクトの
役目を果たすことによって、冷却効果の向上を図ることができると共に、各誘導加熱コイ
ルに対応する制御部と輻射式ヒータに対応する制御部が、どの収容部に収容されているか
を判別し易く、該当する制御部の修理・点検等のサービス製の向上を図ることができるも
のとなる。
【００７１】
また、上記のような３層積層の各収容部において、単一のファンからの送風量が、各収
容部を経由する空気通路の発熱量に応じて分流されるよう、電装ボックスとファンの一体
化によって、それを達成できるものとなる。
【産業上の利用可能性】
【００７２】
本発明に係る誘導加熱調理器は、上記実施例に示した構成に限定されず、種々の形態の
ものに適用できるものであり、本発明の技術範囲において種々の形態を包含するものであ
る。
【符号の説明】
【００７３】
１・・・・・誘導加熱調理器
２・・・・・本体部
３・・・・・天板
４・・・・・誘導加熱コイル
５・・・・・誘導加熱コイル
６・・・・・誘導加熱コイルまたは輻射式ヒータ（ラジェントヒータ）
７・・・・・グリル
７Ａ・・・・グリル扉
８、９・・・調理容器載置部
１０・・・・操作パネル
１１・・・・電源スイッチ
１２・・・・操作つまみ
１３・・・・表示部
１４・・・・操作窓
１５・・・・操作部
１６・・・・排気口
１７・・・・吸気口
１８・・・・表示部
１８Ｔ・・・表示制御部
１９・・・・導光体ケース
２０・・・・円弧帯状導光体
２１・・・・透光部
２２・・・・光源
２３・・・・ＬＥＤ
２４・・・・ＬＥＤ
２５・・・・ＬＥＤ
２６・・・・支持板部（グリルの天井板）
２７・・・・ネジ
２８・・・・電気的制御部
２９・・・・メイン制御部
３０・・・・メモリ
３１・・・・音声出力部
３２・・・・スピーカ
３３・・・・調理機能制御部
３３Ａ・・・ＩＨ４制御部
３３Ｂ・・・ＩＨ５制御部
３３Ｃ・・・ＩＨ６制御部
３３Ｄ・・・グリル制御部
３３Ｅ・・・ファン制御部
３５・・・・電装ボックス
３５Ａ・・・ボックス本体部
３５Ｂ・・・送風ダクト部
３６・・・・第１収容部
３６Ｄ・・・ダクト
３６Ｅ・・・空気入口
３７・・・・第２収容部
３７Ｄ・・・ダクト
３７Ｅ・・・空気入口
３７Ｔ・・・底壁
３８・・・・第３収容部
３８Ｄ・・・ダクト
３９・・・・上面板
４０・・・・ファン
４０Ａ・・・シロッコファン
４０Ｂ・・・電動機
４０Ｃ・・・ファンケース
４１・・・・空気吸い込み口
４２・・・・空気吐出口
４３・・・・吸気ダクト
４４・・・・連通ダクト
４５・・・・連通部
４６・・・・第１空気吐出口
４７・・・・第２空気吐出口
４８・・・・ガイド壁
【図１】
2010182480.tif 000003
【図２】
2010182480.tif 000004
【図３】
2010182480.tif 000005
【図４】
2010182480.tif 000006
【図５】
2010182480.tif 000007
【図６】
2010182480.tif 000008
【図７】
2010182480.tif 000009
【図８】
2010182480.tif 000010